(57)【要約】【課題】室内の照明を行うと共に、映像装置の動作状態に連動して調光制御することが可能な照明装置を提供する。【解決手段】室内照明用の光源１１ａを有する器具本体１１と；器具本体に設置され映像装置２０の動作状態を検知する検知手段１２と；検知手段からの信号を基に器具本体の光源を調光制御する制御部１３と；を具備する照明装置を構成する。【選択図】        図１
2008277092.tif 000002
【特許請求の範囲】
【請求項１】
室内照明用の光源を有する器具本体と；
器具本体に設置され映像装置の動作状態を検知する検知手段と；
検知手段からの信号を基に器具本体の光源を調光制御する制御部と；
を具備することを特徴とする照明装置。
【請求項２】
室内照明用の光源を有する器具本体と；
器具本体に設置され室内の輝度分布を基に映像装置の動作状態を検知する検知手段と；
検知手段からの信号を基に照明制御データを生成し、照明制御データに応じて器具本体の光源を調光制御する制御部と；
を具備することを特徴とする照明装置。
【請求項３】
室内照明用の光源を有する器具本体と；
映像装置の周辺部を照明する映像用光源部と；
器具本体に設置され室内の輝度分布を基に映像装置の動作状態を検知するとともに、映像装置の映像データを画面の輝度および光色の少なくとも一方の変化によって検知する検知手段と；
検知手段からの信号を基に照明制御データを生成し、照明制御データに応じて器具本体の光源を調光制御し、映像用光源部の発光パターンを制御する制御部と；
を具備することを特徴とする照明装置。
【発明の詳細な説明】
【技術分野】
【０００１】
本発明は、映像装置の動作状態に連動して照明制御することが可能な照明装置に関する。
【背景技術】
【０００２】
近年、大画面テレビ等、ディスプレイが大型化され、一般家庭においても、臨場感をもった画像を手軽に楽しめるようになってきている。
【０００３】
これら大画面テレビ等の映像装置においては、鑑賞する室内の照明を工夫して、臨場感をより一層高めることが行われている。
【０００４】
この種の照明システムが、例えば、下記の特許文献１〜３に示されている。
【０００５】
特許文献１には、画像表示装置の画像に連動して照明を制御することによって、高い臨場感が得られる照明装置及び照明方法が示されている。
【０００６】
特許文献２には、主要データと共に、テレビのショー、映画等の主要データに関する記述情報を設けることにより、例えば、ホラー映画を見ているときは、周辺光は明るさを下げるなどの周辺光及び照明ユニットを制御する方法およびシステムが示されている。
【０００７】
さらに、特許文献３には、ビデオ信号を処理することにより周囲光の制御を行う方法。この方法を取り入れた装置及びシステムが示されている。
【特許文献１】特開２０００−１７３７８３号公報
【特許文献２】特表２００５−５３１９０９号公報
【特許文献３】特表２００５−５２７１５５号公報
【発明の開示】
【発明が解決しようとする課題】
【０００８】
上記の照明装置または照明システムは、テレビ等の映像装置の画面に映し出される画像に連動して、室内の照明を制御し、画面に映し出される画像の臨場感を向上させることを狙ったものである。
【０００９】
一方、この種の映像装置においては、鑑賞者の眼の疲労を軽減させることが要望されている。
【００１０】
すなわち、雰囲気や臨場感を高める目的で室内を真っ暗にした状態で映画を鑑賞したり、さらにはゲーム等を行うと、激しい光の明滅が頻繁に出てくるような映像の場合、室内が真っ暗であると明るさの変化が大きくなり眼の疲れが生じやすくなる。
【００１１】
特に、薄型大画面テレビは、ＣＲＴ（ブラウン管）と異なり、非常に輝度が高く４００〜５００ｃｄ／ｍ2などは当たり前になっており、映像が映っている場合には室内もテレビからの光で明るくなるが、反面、明滅が激しい場合にはテレビの画面のみならず、室内全体が明滅するような状態となり一層目の疲れが生じやすくなる。
【００１２】
しかしながら、上記従来の照明装置及び照明システムは、もっぱら臨場感の向上を狙ったもので、鑑賞者の眼の疲労を軽減させることには到っていない。
【００１３】
このため、テレビの動作状態に連動して室内の明るさを制御し、目の疲れを軽減することが可能な照明装置の出現が強く要望されている。
【００１４】
本発明は、上述した問題、課題を解決することを目的とし、室内の照明を行うと共に、映像装置の動作状態に連動して調光制御することが可能な照明装置を提供しようとするものである。
【課題を解決するための手段】
【００１５】
本発明の目的を達成するため、請求項１に記載の照明装置の発明は、室内照明用の光源を有する器具本体と；器具本体に設置され映像装置の動作状態を検知する検知手段と；検知手段からの信号を基に器具本体の光源を調光制御する制御部と；を具備することを特徴とする。
【００１６】
本発明によれば、室内照明用の光源を有する器具本体により、室内の照明を行うと共に、器具本体に設置され映像装置の動作状態を検知する検知手段と、検知手段からの信号を基に器具本体の光源を調光制御する制御部により、映像装置の動作状態に連動して調光制御することが可能な照明装置が構成される。
【００１７】
本発明において、室内照明用の光源を有する器具本体は、室内の照明を行うと共に、テレビ等の映像装置の動作状態を検知したり、映像装置の映像データを画面から検知するため、室内全体を見渡すことができる絶好の位置に設置されることが大半の、例えば、住宅用のシーリング器具やペンダント器具等が好適であるが、他のダウンライトやスポットライト等でもよく、その形式には限定されない。
【００１８】
室内を照明する光源は、直管形や環状形の蛍光ランプ、電球形蛍光ランプ、白熱ランプやハロゲンランプ、発光ダイオード等、さらにはこれらを組み合わせたものなど、本発明の照明制御を実現することが可能な全ての光源が許容される。
【００１９】
映像装置は、液晶テレビ、プラズマテレビ、ブラウン管テレビ等テレビチューナを有する映像装置でも、またビデオテープレコーダ、ＤＶＤビデオ、ＤＶＤプレーヤ、ＣＤプレーヤ等の映像再生装置と、液晶等のディスプレイからなる映像表示装置が組合された映像装置でも、さらにはスクリーン面に映像を表示するプロジェクタ型の映像装置であってもよい。
【００２０】
検知手段は、光の照度、輝度、色、さらには温度等を検知する、例えば、ＣＣＤや焦電センサ等、室内の明るさや、テレビ等の映像装置の動作状態や映像データを画面から検知するための全ての手段が許容される。
【００２１】
検知手段は、室内全体を見渡すことができるように、例えば、室内照明を行う光源に隣接して器具本体に設置されることが好適であるが、器具本体の側面等でもよく、室内の明るさや、テレビ等の映像装置の動作状態を検知したり、映像装置の映像データを画面から検知でき、さらにテレビ等の鑑賞の妨げにならないように器具本体に設置するための全ての手段が許容される。
【００２２】
検知手段は、例えば、室内が局所的に輝度が高い部分が発生した場合に映像装置が動作を開始したと判断するなど、室内の輝度分布を基に映像装置の動作状態を検知するようにしてもよい。
【００２３】
検知手段は、映像装置の映像データを画面から放射される光を検知することによって取得してもよい。
【００２４】
映像装置の動作状態を検知する検知手段と、映像装置の映像データを画面から検知する検知手段は、共通の１個の検知手段で構成しても、それぞれ目的に応じた画素数を有するＣＣＤ等で別個に構成してもよい。
【００２５】
器具本体の光源を調光制御する制御部は、例えば、マイクロコンピュータ等からなる電子回路で構成し、検知手段からの信号を基に照明制御データを生成する演算部と、演算部の照明制御データに応じて器具本体の光源を調光制御する制御部で構成してもよい。
【００２６】
制御部の調光制御は、検知手段からの信号を基に生成された照明制御データに応じて、例えば、室内を徐々に調光点灯させたり、または映像装置の音圧レベルに応じて、瞬時に点滅を繰り返すように調光してもよい。
【００２７】
さらに制御部は、検知手段が映像装置の画面から検知した映像データを基に照明制御データを生成し、映像用光源部の発光パターンを制御するようにしてもよい。
【００２８】
請求項２に記載の照明装置の発明は、室内照明用の光源を有する器具本体と；器具本体に設置され室内の輝度分布を基に映像装置の動作状態を検知する検知手段と；検知手段からの信号を基に照明制御データを生成し、照明制御データに応じて器具本体の光源を調光制御する制御部と；を具備することを特徴とする。
【００２９】
請求項３に記載の照明装置の発明は、室内照明用の光源を有する器具本体と；映像装置の周辺部を照明する映像用光源部と；器具本体に設置され室内の輝度分布を基に映像装置の動作状態を検知するとともに、映像装置の映像データを画面の輝度および光色の少なくとも一方の変化によって検知する検知手段と；検知手段からの信号を基に照明制御データを生成し、照明制御データに応じて器具本体の光源を調光制御し、映像用光源部の発光パターンを制御する制御部と；を具備することを特徴とする。
【００３０】
本発明において、映像装置の周辺部を照明する映像用光源部は、例えば、映像装置の背景を照明するもの、さらに映像装置の画面よりも外側の鑑賞側の面が発光するように照明するものであっても、さらには両者の照明を組み合わせたのもであってもよい。
【００３１】
映像用光源部の発光パターンは、光源部を光の３原色であるＲＧＢ単色の複数の光源で構成し、映像装置の背景や画面外側の面の色度、輝度、照度等を、画面に近似させることにより、映像の広がり感を得もたせ、臨場感を向上させるようにしてもよい。
【００３２】
映像装置の映像データを画面から検知する検知手段は、例えば、ＣＣＤを内蔵したカメラにより、画面の輝度や色情報を得るようにしてもよい。
【発明の効果】
【００３３】
請求項１の発明によれば、室内照明用の光源を有する器具本体により、室内の照明を行うと共に、器具本体に設置され映像装置の動作状態を検知する検知手段と、検知手段からの信号を基に器具本体の光源を調光制御する制御部により、映像装置の動作状態に連動して調光制御することができ、映像装置の鑑賞に際して目の疲れを軽減させることが可能な照明装置を提供することができる。
【００３４】
特に、検知手段を室内照明用の光源を有する器具本体に設置したので、室内全体を見渡した監視をすることも可能になり、各種各様に設置された映像装置の状態に対し、その動作状態を確実に検知することができ、照明装置の調光制御を確実に行うことができる。
【００３５】
請求項２の発明によれば、映像装置の動作状態に連動して調光制御することができ、映像装置の鑑賞に際して目の疲れを軽減させることが可能な照明装置を提供することができると共に、室内の輝度分布を基に映像装置の動作状態を検知する検知手段を設けたので、簡易な構成で一層確実な調光制御を行うことができる。
【００３６】
請求項３の発明によれば、映像装置の動作状態に連動して調光制御することができ、映像装置の鑑賞に際して目の疲れを軽減させることが可能な照明装置を提供することができると共に、映像装置の映像データを画面の輝度および光色の少なくとも一方の変化によって検知する検知手段と、検知手段からの信号を基に照明制御データを生成し、映像用光源部の発光パターンを制御する制御部を設けたので、映像装置に臨場感を持たせることが可能な照明装置を提供することができる。
【００３７】
特に、映像データを画面から検知する検知手段を、室内照明用の光源を有する器具本体に設置したので、室内全体を見渡した監視をすることも可能になり、各種各様に設置された映像装置の画面の状態に対し、その映像データを確実に検知することができ、かつ映像装置の鑑賞を妨げることなく検知することができる。
【発明を実施するための最良の形態】
【００３８】
以下、本発明の照明装置の実施形態につき説明する。
【実施例１】
【００３９】
本実施例は、薄型大画面テレビからなる映像装置を設置した住宅の居間に、本発明の照明装置を設置した実施例で、その構成を図１〜図４に従い説明する。
【００４０】
１０は本発明の照明装置で、居間の室内を照明する光源を設けた器具本体１１、器具本体に設置された検知手段１２、検知手段からの信号を基に照明制御データを生成し、照明制御データに応じて器具本体の光源を調光制御する制御部１３で構成する。
【００４１】
２０は居間の奥の壁面側に設置された映像装置、２１は映像装置の両側に設置された５．１ＣＨサラウンドシステム等で構成された音響装置である。
【００４２】
器具本体１１は、居間の天井の略中央部に設置された住宅用の円形のシーリング器具からなり、環状形蛍光ランプからなる光源１１ａ、環状をなす蛍光ランプの中央部に設置され光源を点灯するための点灯装置１１ｂ、光源を下方から覆う乳白色の透光性の合成樹脂からなるカバー１１ｃからなる。
【００４３】
上記に構成された器具本体１１は、部屋全体を見渡すことができるように、居間の天井Ｘの略中央部に設置されるので、部屋全体を隅々まで照明することができる。（図２）
検知手段１２は、室内の輝度分布を基に映像装置の動作状態を検知するもので、ＣＣＤからなる広角タイプの画像センサで構成し、点灯装置１１ｂの下部に取り付けられ、先端の感知部をカバー１１ｃの中心から下方に露出させるように設置する。
【００４４】
これにより、広角タイプの画像センサの検知ゾーンが、光源１１ａの照明範囲と略重なり、部屋全体を隅々まで見渡せる状態で設置され、室内の略全体の状態を常に監視することができる。
【００４５】
本実施例では、広角タイプの画像センサとして、コスト的に有利であって、信号処理が容易な約７万〜３０万画素で、好ましくは３２０×２４０（約８万画素弱）程度のＣＣＤを用いる。
【００４６】
なお、本実施例では、ＣＣＤから得られる信号を動画として処理するため、高画素のＣＣＤは情報量が多くなって処理が重くなるため適していない。
【００４７】
制御部１３は、検知手段１２からの信号を基に照明制御データを生成する演算部と、演算部の照明制御データに応じて光源１１ａを調光制御する制御部からなり、マイクロコンピュータ等からなる電子回路で構成し、点灯装置１１ｂを収納するケース内に一体に組み込まれている。
【００４８】
上記構成の照明装置１０は、制御部１３により調光制御されると共に、部屋の壁面等に設置されたスイッチにより手動で点灯、消灯が行え、また防犯モードを選択するスイッチが上記の壁面スイッチに併設して設置される。
【００４９】
次に上記のように構成され設置された照明装置１０の作動を説明する。
【００５０】
夜間、通常は照明装置を点灯して映像装置２０を鑑賞する。この場合は部屋全体が明るく照明されており、映像装置を鑑賞しても目の疲れが生じ難い。
【００５１】
次に、夜間、映画等をシアターモードで楽しむために雰囲気や臨場感を高める目的で照明装置１０を消灯して室内を真っ暗にして映像装置を鑑賞した場合、照明装置が調光点灯されて真っ暗な状態から自動的に薄暗い状態になり、室内の明るさの変化を小さくして目の疲れを軽減させる。
【００５２】
すなわち、照明装置１０に設置された検知手段１２が常に室内を監視しており、検知手段は照明が消灯して室内が暗い状態で画像全体の階調値は低いが、映像装置が設置されている部分Ａの階調値だけが高く、かつＲＧＢ各階調値の変化が常にあり、しかも変化量が大きい場合に、暗い室内で映像装置を鑑賞していると判断し、映像装置の動作状態、すなわち、暗い室内で映像装置が作動していると判断する。（図３）
これにより、検知手段１２は暗い室内で映像装置２０が作動した旨の信号を演算部に伝送し、演算部はその信号を基に徐々に調光点灯させる照明制御データを生成して制御部１３に伝送する。
【００５３】
制御部１３は、その照明制御データに応じて照明装置１０の光源１１ａを徐々に調光点灯させ、鑑賞環境の雰囲気を壊さないように知らず知らずのうちに室内が薄暗い状態になるまでの明るさを確保した照明を行う。
【００５４】
これにより、鑑賞者は真っ暗な状態から薄暗い状態で鑑賞することができ、明るさの変化を小さくして目の疲れを軽減させることができる。
【００５５】
なお、検知手段１２は、照明装置１０が薄暗くなった状態で照明していても、室内には作動中の映像装置２０による局所的に明るい部分Ａが発生し、また明るさと色も変動している状態となっており、映像装置が作動している状態を検知し照明装置は薄暗い状態で点灯し続ける。
【００５６】
また、映像装置２０のスイッチをＯＦＦすると、映像装置を設置した部分のＲＧＢ各階調値に変化がなく、また室内全体の階調値も低いと判断し、調光点灯を停止して照明装置１０を消灯状態にする。若しくは１００％の連続調光点灯の状態にする。
【００５７】
次に、昼間や夜間に照明装置１０を点灯し部屋が明るい状態で映像装置２０を鑑賞している場合、映像装置を設置した部分のＲＧＢ各階調値に変化があり、変化量も大きいが、室内全体の階調値も高く、照明装置１０が点灯しているか昼光が室内に入り込んでおり室内全体が明るい状態と判断して照明装置を調光点灯させない。
【００５８】
次に、日中から映像装置２０の鑑賞をしていながら、知らず知らずのうちに日暮れを迎えて周囲が暗くなった場合、画像全体から映像装置２０の画面を除いた階調値が徐々に下がり、ある閾値以下になると調光点灯を自動的に始める。このとき階調値が低くなる速度に合わせて、調光率を増加させることで、階調値の閾値を常にキープするようにする。
【００５９】
これにより、室内の明るさが暗くなるにしたがって、上記同様に照明装置１０の光源１１ａが徐々に調光点灯を始め、違和感無く室内をある程度の明るさを保った状態にすることができる。同時に、階調値の閾値を常にキープすることによって真っ暗な状態にはならず、鑑賞者は自動的に薄暗い状態で鑑賞することができ、目の疲れを軽減させることができる。
【００６０】
次に、防犯モードに設定すると、映像装置２０の作動状態に関係なく、検知手段１２が常に室内の状態を監視しており、日暮れを迎えて周囲が暗くなった場合に調光点灯を自動的に始め照明装置１０を点灯させることができ、在室を装うことができる。
【００６１】
なお、防犯モードの場合は、省エネのため例えば調光率５０％程度の明るさで点灯させるように設定する（なお、防犯モードにおける調光率は１００％の連続調光点灯にしてもよく、任意の調光率に設定可能な構成が好ましい）。
【００６２】
また、照明装置１０を夜間の任意の時間に自動的に消灯させるように設定することができる。この場合、消灯設定を忘れたとしても、検知手段１２が常に室内の状態を監視しており、夜明けとともに室内が昼光によって明るくなると自動的に消灯する。また、点灯累積時間に合わせて徐々に調光率を下げて暗くさせることもできる。
【００６３】
以上、本実施例によれば、照明装置１０を消灯して室内を真っ暗にして映像装置２０を鑑賞しても、照明装置が真っ暗な状態から自動的に薄暗い状態になり、室内の明るさの変化を小さくすることができ目の疲れを軽減させることが可能となる。
【００６４】
また、制御部１３は照明装置１０の光源１１ａを徐々に調光点灯させるので、鑑賞環境の雰囲気を壊さないようにすることができる。
【００６５】
日中から映像装置２０の鑑賞をし続け、日暮れを迎えて周囲が暗くなった場合でも照明装置１０の光源１１ａが徐々に調光点灯を始め、違和感無く室内をある程度の明るさを保った状態にすることができる。
【００６６】
また、階調値の閾値を常にキープすることによって真っ暗な状態にはならず、鑑賞者は自動的に薄暗い状態で鑑賞することができ、目の疲れを軽減させることができる。
【００６７】
さらに、検知手段１２は、ＣＣＤからなる広角タイプの画像センサで構成し、かつ部屋全体を隅々まで照明することができる照明装置１０に設置されるので、センサを部屋全体が見渡せる絶好の位置に配置することができ、各種各様に設置される映像装置２０の状態に対し、その動作状態を確実に検知することができ、照明装置１０の調光制御を確実に行うことができる。
【００６８】
さらに、検知手段１２は、ＣＣＤからなる画像センサで構成し、室内の輝度分布を基に映像装置２０の動作状態を検知するようにしたので、照明装置１０のカバー１１ｃの中心から下方に露出させるように設置するだけの簡易な構成で調光制御を行うことができる。
【００６９】
また、照明装置１０と映像装置２０との間に信号を伝送するための配線接続が不要であるので、既存の照明器具に設置することも可能になる。
【００７０】
また、防犯モードに設定することにより、日暮れを迎えて周囲が暗くなった場合、調光点灯を自動的に始め照明装置を点灯させることができ在室を装う防犯効果をもたせることが可能となる。また、消灯設定を忘れたとしても自動的に消灯させることもできる。
【００７１】
また、本実施例において、照明装置１０に可変色の照明器具を使用し、かつＣＣＤによって映像装置２０の画面の色温度の変化を検知する構成としてもよい。
【００７２】
例えば、部屋が暗い状態で映像装置２０の動作を検知手段１２が検知すると、制御部１３は自動的にシアターモードになり映像装置２０の画面変化に応じて照明装置１０の光色を変化させる制御を行ってもよい。
【００７３】
以上、本実施例において、検知手段１２を照明装置１０のカバー１１ｃの中心から下方に露出させるように設置し、画像センサの検知ゾーンが、光源１１ａの照明範囲と略重なるようにしたが、図４に示すように照明装置１０の周囲に複数個の画像センサ１２ａを設け、画像センサの検知ゾーンを光源の照明範囲よりも広くなるように設定し、より確実に映像装置の動作状態を検知するようにしてもよい。
【００７４】
制御部１３は、照明装置１０の点灯装置１１ｂを収納するケース内に一体に組み込んで構成したが、点等装置と別体の構成し、手動の点灯、消灯スイッチや防犯モードを選択するスイッチを組み込んで部屋の壁面等に設置してもよい。
【００７５】
また、照明装置１０の器具本体１１に音声センサ（マイク）をさらに設置して映像装置２０から発生する音圧レベルを検知するようにしてもよい。
【００７６】
これにより、音圧レベルが高くなる、例えば「雷鳴がとどろく」シーンに合わせて照明装置１０の光源１１ａを自動的にＯＮ・ＯＦＦさせて瞬時に点滅を繰り返すように調光し、真っ暗ではなく検知手段１２により薄暗く調光点灯された室内においても、より臨場感をもたせた鑑賞を行うことができる。
【００７７】
さらに、音声認識技術と組み合わせて、音声制御、例えば、「明るく」と言えば照明が点灯したり、「調光」と言えば照明が調光されるように制御してもよい。
【実施例２】
【００７８】
本実施例は、実施例１の照明装置、換言すれば、室内全体を見渡すことができる位置に設置された照明装置に、映像装置の映像データを画面から検知するため検知手段を設け、検知手段からの信号を基に室内照明用の光源を調光して目の疲れを軽減させると共に、映像用光源部の発光パターンを制御して映像装置における臨場感の向上を図ったものであり、その構成を図５〜図６に従い説明する。
【００７９】
なお、図５〜図６には、実施例１と同一部分には同一の符号を付してその詳細な説明は省略する。
【００８０】
図５に示すように、本実施例の照明装置３０は、室内照明用の光源１１ａを有する器具本体１１、映像装置の周辺部を照明する映像用光源部４０、器具本体に設置され室内の輝度分布を基に映像装置の動作状態を検知すると共に、映像装置の映像データを画面の輝度および光色の少なくとも一方の変化によって検知する検知手段５０、検知手段からの信号を基に照明制御データを生成し、照明制御データに応じて器具本体１１の光源１１ａを調光制御すると共に、映像用光源部４０の発光パターンを制御する制御部６０で構成する。
【００８１】
本実施例における映像用光源部４０は、映像装置２０の周辺部を照明するもので、図５に示すように、映像装置２０の両側に間隔を有して１台ずつ設置する。
【００８２】
映像用光源部４０は、図６に示すように映像装置２０の背景を照明する第1光源部４１と鑑賞側の面を照明する第２光源部４２で構成し、映像装置２０の周辺部を照明する。
【００８３】
第1光源部４１は、光の３原色であるＲＧＢ単色の３本の直管形蛍光ランプ４１ａを縦に３本配置して構成し、第１光源部４１の背面、すなわち、鑑賞側の面に第２光源部４２を設ける。
【００８４】
第２光源部４２は、有機ＥＬ４２ａを光源として構成され開口全体が光る面状光源として構成される。
【００８５】
上記の第1、第２光源部４１、４２は、器具本体１１の点灯装置１１ｂおよび制御部６０にケーブルによって配線接続される。
【００８６】
本実施例における検知手段５０は、例えば、数万〜２００万画素程度のＣＣＤを用いた広角のカメラで構成する。また、画像データは、例えば、３２０×２４０（７６８００画素）で撮影した映像を１６０×１２０または８０×６０などの低画素にしてから処理することが望ましい。
【００８７】
制御部６０は、上記カメラで構成された検知手段５０からの映像データを低画素化するとともに、この映像データを基に照明制御データを生成し、照明制御データに応じて器具本体１１の光源１１ａを調光制御すると共に、映像用光源部４０の発光パターンを制御する。
【００８８】
次に、上記に構成され設置された照明装置３０の作動につき説明する。
【００８９】
まず、照明装置３０に設置されたカメラからなる検知手段５０が常に室内を監視しており、実施例１と同様に、検知手段５０は照明が消灯して室内が暗い状態で画像全体の階調値は低いが、映像装置２０が設置されている部分の階調値だけが高く、かつＲＧＢ各階調値の変化が常にあり、しかも変化量が大きい場合に、暗い室内で映像装置２０を鑑賞していると判断し、映像装置の動作状態、すなわち、暗い室内で映像装置が作動していると判断し、照明装置１０が消灯され真っ暗な状態から自動的に薄暗い状態にして室内の明るさの変化を小さくして目の疲れを軽減させる。
【００９０】
以下、実施例１と同様に、日中から映像装置の鑑賞をしていながら日暮れを迎えて周囲が暗くなった場合の室内照明用の光源１１ａの調光制御、さらに防犯モードにおける光源１１ａの調光制御等を行う。
【００９１】
なお、本実施例における検知手段５０は、画素数の大きいＣＣＤからなるカメラを用いて、より確実に調光制御を行ってもよい。
【００９２】
本実施例では、室内照明用の光源１１ａの調光制御と同時に検知手段であるカメラにより、映像装置２０の画面の両サイドの輝度および光色の少なくとも一方の変化情報、本実施例では輝度および色の情報を基に画像の映像データを検出し、検知手段からの映像データを基に照明制御データを生成し、映像用光源部４０の発光パターンを制御する。
【００９３】
すなわち、上記に構成された２台の映像用光源部４０は、映像装置２０の両側に、所定の間隔を有して１台ずつ、第１光源部４１を構成する直管形蛍光ランプ４１ａが縦になり、かつ映像装置２０の背面側を照明するように設置し、また第２光源部４２が鑑賞側に面するように設置する。
【００９４】
上記に設置された映像用光源部４０は、次のように作動する。
検知手段５０であるカメラが映像装置２０の画面の両サイドの輝度および色の情報を基に画像の映像データを検知し、この映像データを制御部６０の演算部に伝送する。
【００９５】
これにより、演算部が映像装置２０の画面の各画素ごとのＲＧＢ信号と輝度信号を解析し、解析結果から演算処理して画面全体の平均色度と平均輝度に関する照明データを生成し、この照明データからなる信号を第１光源部４１に出力する。
【００９６】
これにより、第１光源部４１により映像装置２０背面の壁面Ｙが、画面よりも大きい照射面で、例えば、画面が青空であれば青色系の光を発光する発光パターンで照明され、画面の青空が画面周囲にも連続して広がった状態になり、全体として広がり感のある臨場感をもった照明を行うことができる。
【００９７】
また、同時に演算部が、画面の画素ごとのＲＧＢ信号を解析して、例えば、画面が青空であれば青色系の信号を第２光源部４２に出力する。
【００９８】
これにより、第２光源部４２の面状光源をなす有機ＥＬ４２ａが、画面に映し出される画面の青空に近似した明るさの青色系の光を発光する発光パターンで点灯し鑑賞側に向かって青くなり、第１光源部４１による背景の青色照明と調和して、画面の青空が画面周囲にもスムーズに確実に連続して広がった状態になり、全体として広がり感のある臨場感をもった照明を行うことができる。
【００９９】
上記により、カメラからなる検知手段５０からの映像データを基に映像用光源部４０が各種の発光パターンで制御され、映像装置の映像に連動した照明を行うことによって臨場感の向上を図ることができる。
【０１００】
以上、本実施例によれば、実施例１と同様に、室内の明るさの変化を小さくすることができ目の疲れを軽減させることが可能となると同時に、映像装置２０の映像データを画面から検知するカメラからなる検知手段５０により、映像装置に臨場感を持たせることが可能な照明装置３０を提供することができる。
【０１０１】
特に、映像用光源部４０により、映像装置２０背面の壁面Ｙの輝度や色を画面に近似させることができるので、映像装置周辺部の明るさの変化がより小さくなり、臨場感の向上に合わせて眼の疲労を一層軽減させることができる。
【０１０２】
また、映像データを画面から検知する検知手段５０は、室内照明用の光源１１ａを有する器具本体１１に設置したので、室内全体を見渡した監視をすることも可能になり、各種各様に設置された映像装置２０の画面の状態に対し、確実に映像データを検知することができる。
【０１０３】
また、この種臨場感の向上を狙った照明システムは、特許文献１、２、３などに示されるように、ＴＶチューナー、ビデオテープレコーダ、ＤＶＤプレヤなどの映像再生装置から映像データを取り込み演算処理を行うが、例えば、一般的なテレビの場合には、映像出力端子は備えておらず、映像と連動した照明を行うことができない。
【０１０４】
特に、将来的にはＢＳ、ＣＳ等、多チャンネルの時代を迎え、映像再生装置を設置しないで各種の映像やゲームを楽しめる時代になった場合、テレビ等の映像装置にはビデオ端子など、映像出力端子のない映像装置が出現する。
【０１０５】
このような場合において、本実施例の照明装置３０は、映像装置の出力端子から映像データを取り込む必要がないため、十分に対応でき汎用性に優れた照明装置を提供することができる。
【０１０６】
特に、映像再生装置による映像だけでなく、テレビ放送自体の映像に対しても、映像と連動した照明を行うことができる。
【０１０７】
さらに、上記のような時代に対応するために、テレビ画面を直接狙うセンサを用いることが考えられる。例えば、テレビのフレームから画面を狙ったり、テレビから少し離れた場所から画面を狙うことになるが、いずれもテレビ観賞に邪魔になったり、あるいは気になるなど視聴環境に多少なりとも影響を及ぼす可能性がある。
【０１０８】
このような場合においても、本実施例の照明装置３０は検知手段５０を、室内照明用の光源１１ａを有する器具本体１１に設置したので、人の視線位置あるいは画角から大きく外れた上方の位置からセンシングとすることができ、映像装置２０の鑑賞を妨げることなく検知することができ視聴環境を悪化させることがない。
【０１０９】
以上、本実施例において、検知手段として、室内照明用の光源１１ａを調光制御するセンサ機能と映像データを検知する機能を、１台のカメラで検知するようにしたが、照明用の光源１１ａの調光制御を行うセンサは、実施例１と同様に画素数の少ないコスト的に有利なＣＣＤや焦電センサなどを調光制御専用のセンサとして使用し、映像データを検知するセンサとは別体に構成してもよい。
【０１１０】
また、本実施例における２台の映像用光源部４０内に、音響装置のスピーカーを内蔵させ、スピーカー機能も備えた機能体として構成してもよい。
【０１１１】
また、本実施例において、映像装置２０の周辺部を照明する映像用光源部４０を、映像装置の背景を照明する光源と鑑賞側の面を照明する光源を１台の照明器具で構成したが、例えば、映像装置の背景を照明する光源は映像装置の背面に一体的に設置し、鑑賞側の面を照明する光源はテレビの額縁部に多数の発光ダイオードを設置して構成するなど、それぞれを別体に構成してもよい。
【０１１２】
その他、本実施例における他の構成、作動、作用効果、変形例等は、実施例１と同様である。
【０１１３】
以上、本発明の好適な実施例を説明したが、本発明は上述の各実施例に限定されることなく、本発明の要旨を逸脱しない範囲内において、種々の設計変更を行うことができる。
【図面の簡単な説明】
【０１１４】
【図１】本発明の第１の実施形態における照明装置を、一部を切り欠いて示す側面図。
【図２】同じく照明装置を、住宅の居間に設置した室内の状態を示す説明図。
【図３】同じく照明装置の検知手段が撮影した室内の状態を示す説明図。
【図４】同じく照明装置の変形例を示す側面図。
【図５】本発明の第２の実施形態における照明装置を、住宅の居間に設置した室内の状態を示す説明図。
【図６】同じく照明装置の映像用光源部を示す図で、（ａ）は正面図、（ｂ）は（ａ）におけるＡ−Ａ線に沿う断面図、（ｃ）は一部を切り欠いて示す背面図。
【符号の説明】
【０１１５】
１０  照明装置
１１  器具本体
１１ａ  光源
１２  検知手段
１３  制御部
２０  映像装置
３０  照明装置
４０  映像用光源部
５０  検知手段
６０  制御部      
【図１】
2008277092.tif 000003
【図２】
2008277092.tif 000004
【図３】
2008277092.tif 000005
【図４】
2008277092.tif 000006
【図５】
2008277092.tif 000007
【図６】
2008277092.tif 000008